(57)【要約】【課題】商品を置いた場合であっても視認可能な領域が大きく、かつ、折り畳み状態から簡単に組み立てることができる陳列台を提供する。【解決手段】陳列台１は、底面部１１と、底面部１１の両端のそれぞれに接続されており、底面部１１の両端を支点として回動可能に接続された１組の第１側壁部１２と、を有する第１部材１０と、上面部２１と、上面部２１の両端のそれぞれに接続されており、上面部２１の両端を支点として回動可能に接続された一組の第２側壁部２２と、を有する第２部材２０と、を備えた陳列台１であって、第２側壁部２２は、折曲げ可能な折曲げ線２２ｃを備え、第１部材１０と第２部材２０とが係合する第１係合部１２ａ及び第２係合部２４が第１部材１０と第２部材２０とにそれぞれ設けられている。【選択図】図１
2019055160.tif 000002
【特許請求の範囲】
【請求項１】
底面部と、
前記底面部の対向する辺に回動可能に接続された１組の第１側壁部と、
第１係合部と、
を有する第１部材と、
上面部と、
前記上面部の対向する辺に回動可能に接続された一組の第２側壁部と、
前記第１係合部と係合する第２係合部と、
を有する第２部材と、
を備えた陳列台であって、
前記第２側壁部は、折曲げ可能な折曲げ部を備えている陳列台。
【請求項２】
請求項１に記載の陳列台において、
前記第１側壁部の回動範囲を規制する規制部をさらに備えること、
を特徴とする陳列台。
【請求項３】
請求項２に記載の陳列台において、
前記底面部に固定され、前記底面部の前方又は後方に前面又は背面を形成し、かつ、前記前面又は背面に接続される前記第１側壁部と平行な面を前記規制部として有する第３部材をさらに備えること、
を特徴とする陳列台。
【請求項４】
請求項１から請求項３までのいずれかに記載の陳列台において、
前記第２側壁部は、前記折曲げ部を境界として前記底面部側の領域が前記第１側壁部に固定されており、
前記第１側壁部の前記第２側壁部が固定されていない領域に、前記第１部材側の前記第１係合部が設けられていること、
を特徴とする陳列台。
【請求項５】
請求項４に記載の陳列台において、
前記上面部の前方側又は後方側に接続されており、前記上面部と接続されている境界部を折り返して構成された補強部を有しており、
前記補強部の両端部は、前記第２部材側の前記第２係合部となること、
を特徴とする陳列台。
【請求項６】
請求項１から請求項５までのいずれかに記載の陳列台において、
前記第１部材は、前記第２部材よりも剛性が高い材料により構成されていること、
を特徴とする陳列台。
【請求項７】
請求項１から請求項６までのいずれかに記載の陳列台において、
当該陳列台を構成する材料は、いずれも手作業によって折曲げ及び伸展が可能なシート状の部材により構成されており、
前記第１係合部と前記第２係合部との係合を解除することにより、折り畳み可能であること、
を特徴とする陳列台。
【発明の詳細な説明】
【技術分野】
【０００１】
本発明は、物品の陳列に用いられる陳列台に関するものである。
【背景技術】
【０００２】
従来、商品の販売促進等の目的で通常の商品棚とは別に、陳列台を用いることがあった。このような陳列台として、例えば、特許文献１には、ワンタッチで組み立て可能な雛壇状の陳列台が開示されている。
【０００３】
しかし、特許文献１の陳列台は、商品を置いてしまうと、陳列台が商品によって隠されてしまい、視覚的に商品の宣伝を行える領域が少なかった。
また、特許文献１では、「ワンタッチで組み立て可能」と記載されているものの、タックフラップ１４をスリットＳ１に差し込むといった煩わしい作業が必要であり、宣伝効果が小さいにも関わらず店舗スタッフ等への負担が大きかった。
【先行技術文献】
【特許文献】
【０００４】
【特許文献１】特開２０００−１０３４２５
【発明の概要】
【発明が解決しようとする課題】
【０００５】
本発明の課題は、商品を置いた場合であっても視認可能な領域が大きく、かつ、折り畳み状態から簡単に組み立てることができる陳列台を提供することである。
【課題を解決するための手段】
【０００６】
本発明は、以下のような解決手段により、前記課題を解決する。なお、理解を容易にするために、本発明の実施形態に対応する符号を付して説明するが、これに限定されるものではない。
【０００７】
第１の発明は、底面部（１１）と、前記底面部（１１）の対向する辺に回動可能に接続された１組の第１側壁部（１２）と、第１係合部（１２ａ）と、を有する第１部材（１０）と、上面部（２１）と、前記上面部（２１）の対向する辺に回動可能に接続された一組の第２側壁部（２２）と、第２係合部（２４）と、を有する第２部材（２０）と、を備えた陳列台（１）であって、前記第２側壁部（２２）は、折曲げ可能な折曲げ部（２２ｃ）を備えている陳列台（１）である。
【０００８】
第２の発明は、第１の発明に記載の陳列台（１）において、前記第１側壁部（１２）の回動範囲を規制する規制部（３２）をさらに備えること、を特徴とする陳列台（１）である。
【０００９】
第３の発明は、第２の発明に記載の陳列台（１）において、前記底面部（１１）に固定され、前記底面部（１１）の前方又は後方に前面又は背面を形成し、かつ、前記前面又は背面に接続される前記第１側壁部（１２）と平行な面を前記規制部（３２）として有する第３部材（３０）をさらに備えること、を特徴とする陳列台（１）である。
【００１０】
第４の発明は、第１の発明から第３の発明までのいずれかに記載の陳列台（１）において、前記第２側壁部（２２）は、前記折曲げ部（２２ｃ）を境界として前記底面部（１１）側の領域（２２ａ）が前記第１側壁部（１２）に固定されており、前記第１側壁部（１２）の前記第２側壁部（２２）が固定されていない領域（２２ｂ）に、前記第１部材（１０）側の前記第１係合部（１２ａ）が設けられていること、を特徴とする陳列台（１）である。
【００１１】
第５の発明は、第４の発明に記載の陳列台（１）において、前記上面部（２１）の前方側又は後方側に接続されており、前記上面部（２１）と接続されている境界部（２３ａ）を折り返して構成された補強部（２３）を有しており、前記補強部（２３）の両端部は、前記第２部材（２０）側の前記第２係合部（２４）となること、を特徴とする陳列台（１）である。
【００１２】
第６の発明は、第１の発明から第５の発明までのいずれかに記載の陳列台（１）において、前記第１部材（１０）は、前記第２部材（２０）よりも剛性が高い材料により構成されていること、を特徴とする陳列台（１）である。
【００１３】
第７の発明は、第１の発明から第６の発明までのいずれかに記載の陳列台（１）において、当該陳列台（１）を構成する材料は、いずれも手作業によって折曲げ及び伸展が可能なシート状の部材により構成されており、前記第１係合部（１２ａ）と前記第２係合部（２４）との係合を解除することにより、折り畳み可能であること、を特徴とする陳列台（１）である。
【発明の効果】
【００１４】
本発明によれば、陳列台は、商品を置いた場合であっても視認可能な領域が大きく、かつ、折り畳み状態から簡単に組み立てることができる。
【図面の簡単な説明】
【００１５】
【図１】本発明の実施形態による陳列台１を前方かつ上方から見た斜視図である。
【図２】陳列台１の後方かつ下方から見た斜視図である。
【図３】陳列台１の正面図である。
【図４】陳列台１の背面図である。
【図５】陳列台１の上面図（平面図）である。
【図６】陳列台１の下面図（底面図）である。
【図７】陳列台１の右側面図である。
【図８】陳列台１の部品展開図である。
【図９】陳列台１の図８中に糊代をマークした図である。
【図１０】陳列台１を図１中のＡ−Ａの位置で切断した断面図である。
【図１１】陳列台１を図１中のＢ−Ｂの位置で切断した断面図である。
【図１２】陳列台１を図１中のＣ−Ｃの位置で切断した断面図である。
【図１３】陳列台１を図１中のＤ−Ｄの位置で切断した断面図である。
【図１４】陳列台１を図７中のＥ−Ｅの位置で切断した断面図である。
【図１５】陳列台１の分解斜視図である。
【図１６】陳列台１の折り畳み過程途中、又は、使用形態への組み立て途中の状態を示す斜視図である。
【図１７】陳列台１の折り畳み状態を示す斜視図である。
【図１８】第１側壁部１２−２を第２側壁部２２−２の外側に配置した構成を例示する正面図である。
【発明を実施するための形態】
【００１６】
以下、本発明を実施するための最良の形態について図面等を参照して説明する。
【００１７】
（実施形態）
図１は、本発明の実施形態による陳列台１を前方かつ上方から見た斜視図である。
図２は、陳列台１の後方かつ下方から見た斜視図である。
図３は、陳列台１の正面図である。
図４は、陳列台１の背面図である。
図５は、陳列台１の上面図（平面図）である。
図６は、陳列台１の下面図（底面図）である。
図７は、陳列台１の右側面図である。
図８は、陳列台１の部品展開図である。
図９は、陳列台１の図８中に糊代をマークした図である。
図１０は、陳列台１を図１中のＡ−Ａの位置で切断した断面図である。
図１１は、陳列台１を図１中のＢ−Ｂの位置で切断した断面図である。
図１２は、陳列台１を図１中のＣ−Ｃの位置で切断した断面図である。
図１３は、陳列台１を図１中のＤ−Ｄの位置で切断した断面図である。
図１４は、陳列台１を図７中のＥ−Ｅの位置で切断した断面図である。
図１５は、陳列台１の分解斜視図である。
【００１８】
なお、上述の各図を含め、以下に示す各図は、模式的に示した図であり、各部の大きさ、形状は、理解を容易にするために、適宜誇張して示している。
また、以下の説明では、具体的な数値、形状、材料等を示して説明を行うが、これらは、適宜変更することができる。
本明細書において、形状や幾何学的条件を特定する用語、例えば、平行や直交等の用語については、厳密に意味するところに加え、同様の機能を奏し、平行や直交と見なせる程度の誤差を有する状態も含むものとする。特に、本発明の陳列台は、例えば、紙等を素材として利用するものであり、厳密な平行や直交という状態は殆ど無く、平行や直交に近い状態であることが通常であるので、これらの文言は、幅を持ったものとして捉え、設計上の狙いの形態が平行や直交であると捉える必要がある。
本明細書において、板、シート等の言葉を使用しているが、これらは、一般的な使い方として、厚さの厚い順に、板、シートの順で使用されており、本明細書中でもそれに倣って使用している。しかし、このような使い分けには、技術的な意味は無いので、これらの文言は、適宜置き換えることができるものとする。例えば、第１部材は、シート状の部材と記載しても、これは、板状の部材であってもよい。
本明細書中において、シート面とは、各シートにおいて、そのシート全体として見たときにおける、シートの平面方向となる面を示すものであるとする。なお、板面に関しても同様であるとする。
【００１９】
実施形態の陳列台１は、第１部材１０と、第２部材２０と、第３部材３０と、第４部材４０とを、それぞれの糊代において貼り合わせて構成されている。陳列台１は、図１から図１３に示した使用状態の他に、折り畳まれた折り畳み状態とすることもできる。先ず、使用状態について説明する。
なお、以下の説明において、図１中に示した上下、左右、前後（背）等の向きを表す文言を適宜用いる。
【００２０】
第１部材１０は、底面部１１と、第１側壁部１２とを備えており、シート状の部材を加工して形成されており、本実施形態では、段ボール（Ｂフルート：ＢＦ）で構成されている。
底面部１１は、四角形に形成されており、その左右の両端に第１側壁部１２が接続している。
【００２１】
第１側壁部１２は、底面部１１の両端の対向する辺それぞれに接続されており、底面部１１の両端を支点として回動可能に接続されており、１組が対象に対向して配置されている。使用状態では、第１側壁部１２は、底面部１１と直交する面を構成している。
第１側壁部１２の前方は、上下方向と平行なラインで構成されているが、後方については、上方に行くにしたがい、第１側壁部１２の幅が狭くなるように（前方との距離が近くなるように）斜めのラインで構成されている。
第１側壁部の後方が斜めのラインで構成され、上面部の前後方向の距離が近くなることにより、強度が増して撓み難くなる。
第１側壁部１２の下方、より具体的には、上下方向の略半分より下方は、外側に後述の第２側壁部２２の固定領域２２ａが固定されている。なお、この固定、及び後述する他の部位における固定には、例えば、接着剤を用いた固定の他、両面テープを用いた固定としてもよいし、その他の固定方法を用いてもよい。
また、第１側壁部１２の上端は、後述の第２部材２０側の第２係合部２４と係合する第１部材１０側の第１係合部１２ａとなっている。
【００２２】
第２部材２０は、上面部２１と、第２側壁部２２と、補強部２３と、第２係合部２４と、飾り部２５とを備えている。
【００２３】
上面部２１は、第１部材１０の底面部１１と平行に配置されており、底面部１１よりも前後方向の幅が狭く構成されている。なお、上面部２１の幅は、底面部１１と同じとしてもよい。
【００２４】
第２側壁部２２は、上面部２１の両端の対向する辺それぞれに接続されており、上面部２１の両端を支点として回転可能に接続された一組の壁面である。使用状態では、第２側壁部２２は、底面部１１及び上面部２１と直交する面を構成しており、第１側壁部１２と平行に配置されている。また、第２側壁部２２の外形形状は、第１側壁部１２の外形形状と略同一になっている。
第２側壁部２２は、その略中央に折曲げ可能な折曲げ線（折曲げ部）２２ｃを有している。
第２側壁部２２は、折曲げ線２２ｃを境界として底面部１１側の固定領域２２ａが第１側壁部１２に固定されている。また、折曲げ線２２ｃを境界として上面部２１側の非固定領域２２ｂは、第１側壁部１２に固定されておらず、第１側壁部１２と平行に配置されている。
【００２５】
補強部２３は、上面部２１の後方側に接続されており、上面部２１と接続されている境界部２３ａを折り返して構成されている。補強部２３は、その中央にさらに折曲げ線が左右方向に延在しており、この折曲げ線を折曲げて、第１糊代部２３ａを上面部２１の内面側に固定することにより、断面形状が三角形形状に構成されている（図１２参照）。この補強部２３を設けたことにより、第２部材２０の材料を比較的薄く軽い材料としても、上面部２１が撓むことを防止できる。
【００２６】
第２係合部２４は、補強部２３の左右方向の両端部の一部を延長するように設けられている。これにより、第１部材１０側の第１係合部１２ａを係止するように係合する。この係合によって、固定領域２２ａと非固定領域２２ｂとが略同一平面を構成する状態を維持している。
より詳しく説明すると、補強部２３が、図１２に示すように断面形状が三角形形状に構成されており、その一部を延長して第２係合部２４を構成したことにより、図１３に示すように、第２係合部２４は、上面部２１から斜めに突出した形態となっている。そして、第２係合部２４は、後方側（図１３の断面において、右側）を支点とした片持ち梁のように撓むことが可能である。この第２係合部２４の撓みを利用して、第１係合部１２ａとの係合及び係合解除を容易に行うことが可能となっている。
【００２７】
第２係合部２４は、補強部の左右方向の両端部の一部を延長する構成により、係合部自体が撓みやすく、折りたたむ際に潰しやすくなるため、係合状態と係合解除状態とをスムーズに切換えることができる。また、意図しない位置に折り目等が付かないようにするために、折り癖部２４ａを設けている。この折り癖部２４ａは、第２係合部２４を下方から見たときに谷折りの折り癖となっている。
【００２８】
飾り部２５は、上面部２１の前方に接続されており、飾り部２５と上面部２１との境界を折曲げて構成されている。本実施形態の例では、飾り部２５の端部は、波形に形成されており、意匠性を向上させて、宣伝効果を高めている。また、飾り部２５の境界を折曲げていることにより、上面部２１をさらに補強する機能も備えている。
【００２９】
第２部材２０は、板紙で構成されている。したがって、第１部材１０は、第２部材２０よりも剛性が高い材料により構成されている。これにより、第２部材２０を薄く軽い材料により構成しても、側壁を十分な強度で保持可能である。
【００３０】
第３部材３０は、前面部３１と、規制部３２と、第２糊代部３３と、第３糊代部３４とを備えている。第３部材３０は、第２部材２０と同じ材料で構成されている。
【００３１】
前面部３１は、陳列台１の下方において、底面部１１から立ち上がった前面を構成している。本実施形態では、前面部３１は、表面部３１ａと、この表面部３１ａに接続されており、境界部分で折り返して構成されている裏面部３１ｂとを有している。前面部３１は、この２枚重ねの構造によって、強度を高めている。なお、前面部３１は、単層の構造としてもよい。
【００３２】
規制部３２は、前面部３１に接続している領域であって、前面部３１との境界で直角に折曲げられて第１側壁部と平行な面を構成している。このような構成により、規制部３２は、左右方向に倒れにくくその位置を保持可能である。そして、規制部３２は、第１側壁部１２及び第２側壁部２２の外側に沿って設けられている。すなわち、規制部３２は、対向して配置されている１組の第１側壁部１２及び第２側壁部２２を外側から挟んで配置されている。よって、規制部３２は、第１側壁部１２及び第２側壁部２２が倒れることを防止しており、よって、第１側壁部１２及び第２側壁部２２と、底面部１１と、上面部２１とは、正面（前面）から見たときに、四角形と見える状態を維持可能である。
【００３３】
第２糊代部３３は、表面部３１ａと接続して構成されており、表面部３１ａとの境界部分を折曲げられて底面部１１に固定されている。
【００３４】
第３糊代部３４は、規制部３２と接続して構成されており、規制部３２との境界部分を折曲げられて底面部１１に固定されている。
【００３５】
第４部材４０は、第１側壁部１２の前側端面を覆う形態で第１側壁部１２に固定されている。なお、第４部材４０の外側の糊代部分は、第１側壁部１２と第２側壁部２２との間に挟まれる位置に配置されている。
第４部材４０は、第２部材２０と同じ材料で構成されている。
本実施形態の第１部材１０は、段ボールを素材として用いている。したがって、第１側壁部１２の前側端面には、段ボールに特有の断面が露出してしまい、美観を損ねてしまうおそれがある。そこで、本実施形態では、第４部材４０を配置して、段ボールの断面を覆い隠し、意匠性を高めている。
【００３６】
図１５の分解斜視図に示すように上述した各部材が組み合わせられて、陳列台１が構成されている。第１部材１０は、上述したように他の部材よりも剛性が高く、陳列台１の基礎となっている。また、第２部材２０は、上面部２１を構成して、認可能な領域を広くするとともに、第１部材１０と協働して組立と折り畳みとを簡単に行えるように構成されている。また、第３部材３０は、規制部３２を有し、第１側壁部１２及び第２側壁部２２の倒れを防止している。さらに、第４部材４０を設けることにより、美観を向上している。
【００３７】
（折り畳みについて）
本実施形態の陳列台１は、上述した使用状態の他、これを折り畳んだ折り畳み状態とすることもできる。
折り畳みを行うためには、先ず、第１係合部１２ａと第２係合部２４との係合を解除する。第２部材２０は、第１部材１０と比べて薄手の紙により構成されているので、係合の解除は、第２係合部２４を押し上げることにより容易に行うことができる。
【００３８】
図１６は、陳列台１の折り畳み過程途中、又は、使用形態への組み立て途中の状態を示す斜視図である。
第１係合部１２ａと第２係合部２４との係合を解除したら、第２側壁部２２の折曲げ線２２ｃで第２側壁部２２を折曲げて折り畳みを進める（図１６参照）。
【００３９】
図１７は、陳列台１の折り畳み状態を示す斜視図である。
折り畳みが完了すると、図１７に示すように、底面部１１と第１側壁部１２及び第２側壁部２２と上面部２１とがいずれも略平行な状態になり、大幅に小型化が可能である。
【００４０】
本実施形態の陳列台１は、図１７に示すように小型に折り畳みが可能である。そして、この折り畳み状態とすることにより、店舗等への輸送時に占有するスペースが減り、利便性が高い。また、折り畳み状態から使用状態へ組み立てるときには、第１側壁部１２を使用状態の位置に立ち上げるだけで、第１係合部１２ａと第２係合部２４とが自動的に係合して、図１のような使用状態に簡単に組み立てが完了する。この組み立て工程には、従来のような、のり付けを行ったり、スリットに部材を差し込んだりといった煩わしい作業は、全く必要がなく、一瞬で組立が完了する。したがって、店舗スタッフ等への負担が殆どない。また、本実施形態の陳列台１は、側面と、上面と、前面とに購買者が観察可能な表面を有している。よって、商品を置いた場合であっても視認可能な領域が大きく、これらの表面を宣伝表示面として利用することが可能であり、従来と比べて宣伝可能な面が大幅に増加しており、広告宣伝効果を高めることができる。
【００４１】
（変形形態）
以上説明した実施形態に限定されることなく、種々の変形や変更が可能であって、それらも本発明の範囲内である。
【００４２】
（１）実施形態において、第１側壁部１２が第２側壁部２２よりも内側に配置されている例を挙げて説明した。これに限らず、例えば、第１側壁部を第２側壁部の外側に配置した構成としてもよい。
図１８は、第１側壁部１２−２を第２側壁部２２−２の外側に配置した構成を例示する正面図である。
図１８に示すように、第１側壁部１２−２を第２側壁部２２−２の外側に配置しても、上述した実施形態と同様に簡単に折り畳み及び組み立てが可能な陳列台を実現できる。なお、この場合、例えば、第１側壁部１２−２と第２側壁部２２−２との間に係合部を設けるとよい。
【００４３】
（２）実施形態において、紙を素材として用いる例を挙げて説明した。これに限らず、部材の一部、又は、全部を他の素材により構成してもよい。本発明に利用可能な素材としては、例えば、樹脂シートであってもよいし、金属板であってもよいし、木材であってもよい。また、紙を素材として用いる場合であっても、上述した実施形態の例に限らず、強度が保てればどのような紙を素材として用いてもよい。
【００４４】
（３）上記変形形態による材料の変更などにより、上面部が撓みにくい構造である場合には、第１側壁部の後方を上下方向と平行に設けてもよい。この構成により商品が汚れにくくなる、上部に展示物を置くことができるといった効果がある。
【００４５】
（４）実施形態において、折曲げられている部分は、素材自体を折曲げて構成した例を挙げて説明した。これに限らず、例えば、蝶番等を利用して折曲げ部分を構成してもよい。
【００４６】
（５）実施形態において、第３部材３０を設けて、第１側壁部１２及び第２側壁部２２の倒れを規制する例を挙げて説明した。これに限らず、例えば、第１側壁部１２及び第２側壁部２２の一方、又は、両方から左右方向に小片を突出刺せるように立ち曲げる等して、第１側壁部１２及び第２側壁部２２の倒れを規制するようにしてもよい。
【００４７】
なお、実施形態及び変形形態は、適宜組み合わせて用いることもできるが、詳細な説明は省略する。また、本発明は以上説明した各実施形態によって限定されることはない。
【符号の説明】
【００４８】
１      陳列台
１０    第１部材
１１    底面部
１２    第１側壁部
１２ａ  第１係合部
２０    第２部材
２１    上面部
２２    第２側壁部
２２ａ  固定領域
２２ｂ  非固定領域
２２ｃ  折曲げ線
２３    補強部
２３ａ  第１糊代部
２４    第２係合部
２４ａ  折り癖部
２５    飾り部
３０    第３部材
３１    前面部
３１ａ  表面部
３１ｂ  裏面部
３２    規制部
３３    第２糊代部
３４    第３糊代部
４０    第４部材
【図１】
2019055160.tif 000003
【図２】
2019055160.tif 000004
【図３】
2019055160.tif 000005
【図４】
2019055160.tif 000006
【図５】
2019055160.tif 000007
【図６】
2019055160.tif 000008
【図７】
2019055160.tif 000009
【図８】
2019055160.tif 000010
【図９】
2019055160.tif 000011
【図１０】
2019055160.tif 000012
【図１１】
2019055160.tif 000013
【図１２】
2019055160.tif 000014
【図１３】
2019055160.tif 000015
【図１４】
2019055160.tif 000016
【図１５】
2019055160.tif 000017
【図１６】
2019055160.tif 000018
【図１７】
2019055160.tif 000019
【図１８】
2019055160.tif 000020